(57)【要約】【課題】遊技機に設けられた電気配線におけるノイズを除去することができ、かつ、電気配線を断線したり遊技機内の部材を破損したりすることを防止できる遊技機を提供する。【解決手段】  電気的装置を含む複数の構成部品からなる遊技機１であって、構成部品には、電気的装置への電気配線４４，４６を挿通することで電気配線の引き回し経路を規定する配線整理部１００が設けられ、配線整理部には、電気配線を取り囲むようにしてノイズ除去用の軟磁性体含有部材１１０が備えられている。【選択図】図５
2010220959.tif 000002
【特許請求の範囲】
【請求項１】
電気的装置を含む複数の構成部品からなる遊技機であって、
前記構成部品には、前記電気的装置への電気配線を挿通することで該電気配線の引き回し経路を規定する配線整理部が設けられ、
該配線整理部には、前記電気配線を取り囲むようにしてノイズ除去用の軟磁性体含有部材が備えられていることを特徴とする遊技機。
【発明の詳細な説明】
【技術分野】
【０００１】
本発明は遊技機に関し、特に、遊技機に配設された電気配線に関するものである。
【背景技術】
【０００２】
従来、遊技機には、遊技機に設けられた内部装置同士を電気的に接続したり、遊技機の外部と内部装置とを電気的に接続したりするための電気配線が配設されている。このような電気配線においては、何らかの原因でノイズが電気配線に乗ってしまう場合があり、ノイズの発生によって各装置が誤動作を起こすことがある。また、最悪の場合、各装置を破損する虞もある。
【０００３】
そのため、遊技機においてノイズが発生することによる不具合の防止策として、フェライト等の軟磁性体を含有した軟磁性体含有部材（例えば、フェライトコア等）を、電気配線の途中にぶら下げる形で配置し、ノイズが発生した場合でも、この軟磁性体含有部材の作用によってそのノイズを除去することができるようにしたものが提案されている（例えば、特許文献１参照）。
【先行技術文献】
【特許文献】
【０００４】
【特許文献１】特開平７−１１６３１５号公報
【発明の概要】
【発明が解決しようとする課題】
【０００５】
しかしながら、前記した特許文献１に記載したような遊技機では、フェライトコア等の軟磁性体含有部材が電気配線の途中にぶら下げる形で配置されており、フェライトコアのような重量のあるものが電気配線の途中にぶら下げた状態となっていると、それが例えば遊技機の運搬中に動いて、電気配線を異常に引張る状態になったり、遊技機内における軟磁性体含有部材の周囲に設けられた部材と衝突したりする虞がある。そして、これにより、電気配線が引張られて断線したり、軟磁性体含有部材がその周囲に設けられた部材と衝突して軟磁性体含有部材や周囲に設けられた部材が破損したりする虞がある。
【０００６】
本発明は、このような事情に鑑みてなされたものであり、遊技機に設けられた電気配線におけるノイズを除去することができ、かつ、電気配線を断線したり遊技機内の部材を破損したりすることを防止できる遊技機を提供することを目的とする。
【課題を解決するための手段】
【０００７】
かかる課題を解決するために、本発明の請求項１に記載の発明は、遊技機の構成部品に、遊技機内の電気的装置への電気配線を挿通してその引き回し経路を規定する配線整理部が設けられ、この配線整理部に、電気配線を取り囲むようにしてノイズ除去用の軟磁性体含有部材が備えられている遊技機としたことを特徴とする。
【０００８】
この遊技機によれば、電気配線を挿通してその引き回し経路を規定する配線整理部が設けられており、この配線整理部に、電気配線を取り囲む軟磁性体含有部材が備えられているため、電気配線に乗ってしまったノイズを除去することができると共に、軟磁性体含有部材が運搬中等に動かないようにすることができる。そして、軟磁性体含有部材が動かないことにより、軟磁性体含有部材が動く場合のように電気配線が引張られて断線することを防止でき、また、軟磁性体含有部材の動きにより当該軟磁性体含有部材が遊技機内の他の部材に衝突して軟磁性体含有部材や遊技機内の他の部材を破損することを防止できる。
【図面の簡単な説明】
【０００９】
【図１】本発明の第１の実施形態における遊技機の正面図である。
【図２】同遊技機の背面図である。
【図３】同遊技機の配線整理部を示す断面図である。
【図４】図３の配線整理部の保持部を開放した状態の断面図である。
【図５】図３の配線整理部に電気配線を挿通した状態の斜視図である。
【図６】本発明の第２の実施形態における遊技機の配線整理部を示す斜視図である。
【発明を実施するための形態】
【００１０】
以下、本発明の実施の形態における遊技機について図面を参照しながら説明する。
［第１の実施形態］
【００１１】
まず、本発明の第１の実施形態における遊技機全体の概略構成について図１及び図２に基づき説明する。図１は、本発明の第１の実施形態における遊技機の正面図、図２は、同遊技機の背面図である。
【００１２】
図１及び図２に示すように、第１の実施形態における遊技機は、種々の電気的装置を含む複数の構成部品からなる遊技機であって、所定量のパチンコ球を賞球として払い出すパチンコ遊技機１である。また、本実施形態では、パチンコ遊技機１の隣りにカード式球貸機９が配置されている。このパチンコ遊技機１は、木製の内枠３が、内枠取付用ヒンジを構成する上ヒンジ４及び下ヒンジ５を介して、木製の外枠２に対して開閉自在に取り付けられている。
【００１３】
そして、この内枠３のほぼ上半分の前側には、合成樹脂製の前面カバー部材６が左端縁部の上下を軸支されて開閉自在に取り付けられている。また、この前面カバー部材６のほぼ中央部には略円形の窓部７が開設され、この窓部７の外周縁部に形成される透明板保持枠に装着されたガラスやアクリル等の透明板を通して遊技領域を見ることができるように構成されている。
【００１４】
また、前面カバー部材６の窓部７の上側及び両肩部等には、フルカラーの発光ダイオード（ＬＥＤ）が内蔵されて、「当たり」等の発生を報知したり、遊技中に光演出や遊技中のエラーを表示する、電気的装置としての電飾ランプ８が取り付けられている。また、窓枠７の左上隅部及び右上隅部の裏面には、遊技音を出力する電気的装置としてのスピーカ１９が固定されている。
【００１５】
また、この前面カバー部材６の下側には、パチンコ球の払い出しを調節する払い出しソレノイド等が内装された賞球ケース１０を介して払い出される賞球を受ける上皿１１が合成樹脂製のプレート１２に配設されている。また、このプレート１２は、左端縁部の上下を軸支されて、前面カバー部材６を開放後、内側に設けられた不図示のレバーを下げることにより開放できるように取り付けられている。
【００１６】
また、この上皿１１の中央前面部には、カード式球貸機９の操作ボタン１３及びカード残高表示装置（不図示）が設けられている。そして、その上皿１１の下には、下皿１４が配設される。また、上皿１１に連通する不図示の球送り機構を介して上皿１１のパチンコ球が操作ハンドル１５に連結された発射装置１６へ送られるよう構成されている。
【００１７】
また、この内枠３のほぼ中央部には遊技盤（不図示）が着脱自在なように鉄板等の金属製の機構盤１８が取り付けられている。そして、この機構盤１８の裏側には合成樹脂製の機構セット盤２０が開閉自在に蝶番により取り付けられている。
【００１８】
また、パチンコ遊技機１の裏側の背面上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に連通孔（不図示）が形成され、その連通孔の下方にはパチンコ球を１列に整列流出し、賞球ケース１０にパチンコ球を送る通路を形成するタンクレール２３が取り付けられている。
【００１９】
また、賞球ケース１０へパチンコ球を案内する賞球案内部２４内には、タンクレール２３の下流側のパチンコ球を送る１列の賞球通路が形成されている。
【００２０】
また、賞球ケース１０内には、賞球案内部２４内の賞球通路を通過するパチンコ球を確認する球有り検出スイッチやパチンコ球の払い出しを調節する払い出しソレノイドが内装されている。そして、これら賞球タンク２１、タンクレール２３、賞球案内部２４、賞球ケース１０等により賞球及び貸球の払い出しシステムが構成されている。
【００２１】
そして、賞球ケース１０の下流側には排出部が形成され、入賞球を排出する入賞球排出通路２６及び下皿オーバーフロースイッチ（不図示）が内装された下皿排出路２７が下端部下方に形成されている。また、この下皿排出路２７を介して上皿１１から溢れた賞球を受けて下皿１４に案内する下部受皿ボックス２８が内枠３の裏側に取り付けられている。
【００２２】
また、タンクレール２３の下側には液晶表示装置（ＬＣＤ）等をカバーする合成樹脂製のセンターカバー３０が取り付けられている。そして、このセンターカバー３０の背面部内側には、電気的装置として、ＬＣＤ等を駆動制御する表示制御基板３１、スピーカ１９等を駆動制御する音制御基板３２、電飾ランプ８等を駆動制御するランプ制御基板３３が取り付けられている。
【００２３】
また、センターカバー３０の下側には、パチンコ遊技機１の遊技動作を制御する電気的装置としての主制御基板３４が内蔵される基板ケース３５が配設されている。また、この基板ケース３５の右下には電気的装置としての電源基板３６が内蔵される電源基板ケース３７が配設されている。また、この電源基板ケース３７の上方に配設される電気的装置としてのインターフェース基板３８とカード式球貸機９の背面のコネクタ３９とは、接続コード４０により相互に接続されている。
【００２４】
さらに、機構セット盤２０の上方角部（図２中、右上角部）には、電気的装置としての中継基板４１が設けられている。この中継基板４１は、パチンコ遊技機１とホールコンピュータをつなぐ基板である。
【００２５】
ここで、主制御基板３４、表示制御基板３１、音制御基板３２、ランプ制御基板３３、インターフェース基板３８、中継基板４１は電源基板３６に両端部にコネクタ部４３（一部は不図示）を設けた電気配線４４によって電気的に接続されている。それにより、各基板へパチンコ遊技機１の制御に必要な各種電圧の直流電源が供給されている。
【００２６】
また、主制御基板３４は、表示制御基板３１、音制御基板３２、ランプ制御基板３３、インターフェース基板３８、中継基板４１の各サブ制御基板に対して電気信号の送信を行う為に、両端部にコネクタ部（不図示）を設けた電気配線４５によって各サブ制御基板と電気的に接続されている。これにより、主制御基板は各サブ制御基板に対して指令を送信し、制御することが可能となる。
【００２７】
また、音制御基板３２は、スピーカ１９に対して電気信号の送信を行う為に、電気配線４６によってスピーカ１９と電気的に接続されている。本実施形態では、音制御基板３２に接続された音声出力信号（左右）の計４本の電気配線４６が、パチンコ遊技機１の背面側の各基板上を通って、内枠３の右端に設けられた穴部３Ａに挿通され、パチンコ遊技機１の表面側の左右のスピーカ１９に接続されるように構成されている。これにより、音制御基板３２はスピーカ１９を駆動制御して、スピーカ１９が演出状態等に応じて効果音等の遊技音を出力することが可能となる。
【００２８】
また、本実施形態の電気配線４４，４５，４６は、パチンコ遊技機１における所定の引き回し経路が定められている。そして、本実施形態では、これらの電気配線４４，４５，４６のうち、電気配線４４の引き回し経路の途中に、パチンコ遊技機１に対して当該電気配線４４をその軸方向Ｘには可動するように係止してその引き回し経路を規定する配線整理部１００Ａ，１００Ｂを備えており、電気配線４６の引き回し経路の途中に、パチンコ遊技機１に対して当該電気配線４６をその軸方向Ｘには可動するように係止してその引き回し経路を規定する配線整理部１００Ｃを備えている。なお、配線整理部１００Ａ，１００Ｃは、１組の電気配線を束ねて係止するようになっており、配線整理部１００Ｂは、複数組（ここでは２組）の電気配線を束ねて係止するようになっているものである。
【００２９】
以下、配線整理部１００Ａ，１００Ｂ，１００Ｃについて、図３〜図５を参照して詳細に説明する。図３は、本発明の第１の実施形態における遊技機の配線整理部を示す断面図、図４は、図３の配線整理部の保持部を開放した状態の断面図、図５は、図３の配線整理部に電気配線を挿通した状態の斜視図である。なお、本実施形態では、配線整理部１００Ａ，１００Ｂ，１００Ｃとも同じ部材を使用しているため、以下、その構成を説明する際には、一の配線整理部１００として、共通の説明を行うものとする。
【００３０】
この配線整理部１００は、電気配線４４，４６を挿通することで、パチンコ遊技機１に対して係止して、電気配線４４，４６の引き回し経路を規定するための部材である、軟磁性体含有部材１１０、保持部１２０、固定部１３０等からなる配線整理部材を備えている。
【００３１】
軟磁性体含有部材１１０は、ノイズ除去用の部材であり、例えば軟磁性体としてフェライトを含有するフェライトコアで構成されている。本実施形態の軟磁性体含有部材１１０は、同一形状の２つの半円筒状の部材である、上側軟磁性体含有部材１１２と下側軟磁性体含有部材１１３とで構成されており、これらが上下対称に係合されることで円筒状のフェライトコアとなるように構成されている。
【００３２】
また、本実施形態の軟磁性体含有部材１１０は、上側軟磁性体含有部材１１２と下側軟磁性体含有部材１１３とを係合させた際に、その中心部に１本〜複数本の電気配線４４，４６を挿通可能な挿通孔１１１が形成されるようになっており、この挿通孔１１１は、その電気配線４４，４６の軸方向Ｘに対しては、電気配線４４，４６が可動するように、大きさに余裕を持たせた孔となっている。なお、本実施形態の挿通孔１１１は、少なくともスピーカ接続用の４本の電気配線４６を束ねて挿通させた上でその電気配線４６が可動する大きさに形成されている。
【００３３】
この軟磁性体含有部材１１０の外側には、この軟磁性体含有部材１１０を覆って保持する円筒状の保持部１２０が設けられている。この保持部１２０は、半円筒状の上側軟磁性体含有部材１１２と下側軟磁性体含有部材１１３に外側から合致するような、半円筒状の上側保持部１２１と下側保持部１２２とで構成されている。
【００３４】
また、上側保持部１２１と下側保持部１２２は、その一側端部同士が繋がってヒンジ部１２３となっており、当該ヒンジ部１２３で上側軟磁性体含有部材１１２を保持した上側保持部１２１と下側軟磁性体含有部材１１３を保持した下側保持部１２２とが回動することで、軟磁性体含有部材１１０及び保持部１２０が開閉可能となっている。
【００３５】
また、ヒンジ部１２３と反対側の他側端部の下側保持部１２２には、楔状の下側嵌合部１２４が突出して形成され、ヒンジ部１２３と反対側の他側端部の上側保持部１２１には、環状の上側嵌合部１２５が突出して形成されている。そして、下側嵌合部１２４の楔状部が上側嵌合部１２５の環状部に嵌合することで、上側保持部１２１と下側保持部１２２が係合するようになっており、これにより、上側軟磁性体含有部材１１２と下側軟磁性体含有部材１１３が円筒状に合致するようになっている。
【００３６】
また、保持部１２０のうち、下側保持部１２２には、例えば台座形の固定部１３０が取り付けられており、この固定部１３０により保持部１２０及び当該保持部１２０に保持された軟磁性体含有部材１１０がパチンコ遊技機１に固定されるようになっている。本実施形態では、固定部１３０の下側に両面テープ１４０が貼着されており、この両面テープ１４０により、軟磁性体含有部材１１０、保持部１２０、固定部１３０等からなる配線整理部材が、パチンコ遊技機１に固定されて、配線整理部１００を構成するようになっている。
【００３７】
なお、この配線整理部１００は、ノイズの影響を受けないようにしたい制御基板、例えば音制御基板３２や主制御基板３４等の近傍に設けられていることが好ましい。
【００３８】
また、本実施形態の配線整理部１００は、パチンコ遊技機１の内枠３、機構盤１８等、パチンコ遊技機１の部材の中で取り外しができない構成部品に設けられていることが好ましい。配線整理部１００がこのような構成部品に設けられていることで、後でパチンコ遊技機１の中で部品交換を行うことがあっても、その際に配線整理部１００が取り外されることがなく、部品交換を行う毎に配線整理部１００も交換するという煩雑な作業を省くことができる。
【００３９】
そして、固定部１３０でパチンコ遊技機１の例えば内枠３や機構盤１８等に固定された配線整理部１００の保持部１２０に保持された軟磁性体含有部材１１０の上側軟磁性体含有部材１１２と下側軟磁性体含有部材１１３との間に電気配線４４，４６を係合部１２４，１２５側から挿入し、係合部１２４，１２５を係合させることで、電気配線４４，４６を、その軸方向Ｘには可動するように軟磁性体含有部材１１０で囲まれた挿通孔１１１に挿通させることができ、電気配線４４，４６がノイズ除去用の軟磁性体含有部材１１０で取り囲まれた状態でパチンコ遊技機１に固定することができる。
［第２の実施形態］
【００４０】
次に、本発明の第２の実施形態における遊技機について図６を用いて説明する。図６は、本発明の第２の実施形態における遊技機の配線整理部を示す斜視図である。なお、本実施形態における遊技機は、配線整理部を除いて、前記第１の実施形態と同様であるため、配線整理部以外の構成については説明を省略する。
【００４１】
図６に示すように、第２の実施形態における遊技機には、切れ目のない完全な円筒状の軟磁性体含有部材２１０を備えた配線整理部２００が配置されている。また、当該配線整理部２００は、第１の実施形態と同様に、軟磁性体含有部材２１０を保持する保持部２２０、保持部２２０を遊技機に固定する固定部２３０等からなる配線整理部材を備えており、固定部２３０は両面テープ２４０で遊技機に固定されている。このような切れ目のない軟磁性体含有部材２１０を用いることで、切れ目がある場合と比べて隙間（エアギャップ）が存在しなくなる分、より効率的にノイズを除去することが可能となる。
【００４２】
なお、本実施形態では、軟磁性体含有部材２１０に切れ目がないため、電気配線４４，４６を挿通孔２１１に挿通するには、遊技機の組み付けにおいて電気配線４４，４６にコネクタ等を取り付ける前に予め電気配線４４，４６を挿通孔２１１に挿通しておき、その後コネクタ等を取り付けるなどの方法を採ることとなる。
【００４３】
以上のように、前記した各実施形態のパチンコ遊技機１によれば、電気配線４４，４６を挿通してその引き回し経路を規定する配線整理部１００，２００が設けられており、この配線整理部１００，２００に、電気配線４４，４６を取り囲む軟磁性体含有部材１１０，２１０が備えられているため、電気配線４４，４６に乗ってしまったノイズを除去することができると共に、軟磁性体含有部材１１０，２１０が運搬中等に動かないようにすることができる。
【００４４】
そして、軟磁性体含有部材１１０，２１０が動かないことにより、軟磁性体含有部材１１０，２１０が動く場合のように電気配線４４，４６が引張られて断線することを防止でき、また、軟磁性体含有部材１１０，２１０の動きにより当該軟磁性体含有部材１１０，２１０がパチンコ遊技機１内の他の部材に衝突して軟磁性体含有部材１１０，２１０やパチンコ遊技機１内の他の部材を破損することを防止できる。
【００４５】
また、配線整理部１００，２００が、電気配線４４，４６を部材に挿通させた状態でその引き回し経路を規定するようになっているため、電気配線４４，４６を適度な自由度を保った状態でパチンコ遊技機１に係止することができる。
【００４６】
なお、以上説明した各実施形態は、本発明の理解を容易にするために記載されたものであって、本発明を限定するために記載されたものではない。
【００４７】
例えば、前記した実施形態では、遊技機としてパチンコ遊技機を挙げて説明したが、本発明はこれに限るものではなく、パチスロ遊技機等の他の遊技機にも適用可能である。
【００４８】
また、前記した実施形態では、軟磁性体を含有した軟磁性体含有部材として、製造や取扱いが容易なことから、フェライトを含有したフェライトコアを用いて説明したが、本発明の軟磁性体含有部材はこれに限るものではなく、他の軟磁性体を含有する他の軟磁性体含有部材を用いても良い。
【００４９】
また、前記した実施形態では、配線整理部における配線整理部材を遊技機に固定する手段として、固定部に貼着された両面テープを使用したが、これに限るものではなく、ボンドや嵌め込み構造等、他の手段によって固定されるようになっていても良い。
【００５０】
また、本発明における電気的装置としては、前記した実施形態に記載したものに限るものではなく、電気配線で接続される遊技機内の全ての電気的装置を指すものとする。
【符号の説明】
【００５１】
１…パチンコ遊技機（遊技機）、４４，４５，４６…電気配線、１００，２００…配線整理部、１１０，２１０…軟磁性体含有部材、１１１，２１１…挿通孔、１２０，２２０…保持部、１３０，２３０…固定部
【図１】
2010220959.tif 000003
【図２】
2010220959.tif 000004
【図３】
2010220959.tif 000005
【図４】
2010220959.tif 000006
【図５】
2010220959.tif 000007
【図６】
2010220959.tif 000008